(57)【要約】  【課題】利用者が、形状及び材質の組み合わせを自由に選択できる枕を提供する。  【解決手段】底面と該底面を挟んで互いに向き合う２つの側面とが形成する凹部を有する枠体部材と、前記凹部に収容される本体部材と、を備える。【選択図】図２
0003167162.tif 000002
【実用新案登録請求の範囲】
【請求項１】
底面と該底面を挟んで互いに向き合う２つの側面とが形成する凹部を有する枠体部材と、
前記凹部に収容される少なくとも１つ以上の本体部材と、を備える
ことを特徴とする枕。
【請求項２】
請求項１に記載の枕であって、
前記本体部材の少なくとも１つが、略長方体である
ことを特徴とする枕。
【請求項３】
請求項２に記載の枕であって、
前記本体部材の少なくとも１つが、貫通穴を有している
ことを特徴とする枕。
【請求項４】
請求項１に記載の枕であって、
前記本体部材の少なくとも１つが、枠と、該枠の左右の側面を結ぶ紐と、を有している
ことを特徴とする枕。
【請求項５】
請求項１に記載の枕であって、
前記本体部材の少なくとも１つが、山形形状である
ことを特徴とする枕。
【請求項６】
請求項３に記載の枕であって、
前記貫通穴に嵌め込まれる芯材を、さらに有している
ことを特徴とする枕。
【請求項７】
請求項６に記載の枕であって、
前記芯材が、冷却材である
ことを特徴とする枕。
【請求項８】
請求項１から７の何れか一項に記載の枕であって、
前記本体部材の少なくとも一辺と、前記凹部の少なくとも一辺が、略同じ長さである
ことを特徴とする枕。
【請求項９】
請求項１に記載の枕であって、
請求項２から５に記載の本体部材を組み合わせてなる
ことを特徴とする枕。
【請求項１０】
請求項１から９の何れか一項に記載の枕であって、
異なる素材からなる本体部材を組み合わせてなる
ことを特徴とする枕。
【考案の詳細な説明】
【技術分野】
【０００１】
本考案は、枕に関する。
【背景技術】
【０００２】
現在、枕が睡眠の質に関わっていることが広く知られているが、どのような枕で快適な睡眠を得られるかは人によって大きく異なる。そのため、多様な要望に応じてその形状や材質が異なったものが多く開発されている。
【考案の概要】
【考案が解決しようとする課題】
【０００３】
しかしながら、必ずしも利用者の希望通りの形状や材質の枕があるとは限らない。例えば、蕎麦殻枕では高すぎたり、羽枕では低すぎたりして、利用者が最適な枕を見つけられない可能性がある。また、季節や体調等によって枕を使い分けたい場合、その都度枕を購入し直さねばならず、収納場所も確保しなければならなかった。
【０００４】
そこで、本考案は、形状及び材質の組み合わせを利用者が自由に選択できる枕を提供することを目的とする。
【課題を解決するための手段】
【０００５】
上記の課題を解決するための本考案の一態様に係る枕は、底面と該底面を挟んで互いに向き合う２つの側面とが形成する凹部を有する枠体部材と、前記凹部に収容される少なくとも１つ以上の本体部材と、を備えることを特徴とする。
【図面の簡単な説明】
【０００６】
【図１】本考案の第一実施形態の一例に係る枕の斜視図である。
【図２】本考案の第一実施形態の一例に係る枕の構造を説明する分解図である。
【図３】（ａ）本考案の第一実施形態の一例に係る枕の本体部材の斜視図である。（ｂ）本考案の第一実施形態の一例に係る枕の本体部材の構造を説明する分解図である。
【図４】（ａ）本考案の第一実施形態の一例に係る枕の本体部材の斜視図である。（ｂ）本考案の第一実施形態の一例に係る枕の本体部材の斜視図である。
【図５】（ａ）本考案の第一実施形態の一例に係る枕の本体部材の斜視図である。（ｂ）本考案の第一実施形態の一例に係る枕の斜視図である。
【図６】本考案の第一実施形態の一例に係る枕の本体部材の斜視図である。
【図７】本考案の変形例に係る枕の枠体部材を説明する斜視図である。
【図８】本考案の変形例に係る枕の構造を説明する斜視図である。
【考案を実施するための形態】
【０００７】
以下、本考案の第一実施形態の一例について図面を参照して説明する。
【０００８】
図１は、本考案の第一実施形態の一例に係る枕１の斜視図である。図２は、本考案の第一実施形態の一例に係る枕１の構造を説明する分解図である。
【０００９】
枕１は、互いに向かい合う側面２１及び該側面２１と一体に形成される底面２２からなる枠体部材２と、該枠体２の形成する凹部（以下、収容部と称する）に収容される組み合わせ自在の本体部材３とを備える。
【００１０】
枠体部材２は左右方向に長く、長辺ａと短辺ｂとが形成する断面がコの字形状の部材であり、長辺ａをなす底面２２を、短辺ｂをなす側面２１が挟み込むようにして収容部を形成している。枠体部材２の素材としては、例えば、綿、ウレタン及びラテックス等の樹脂等どのようなものを用いてもよいが、収容部の形状が記憶されるものがより望ましい。
【００１１】
本体部材３は、枠体部材２の収容部に着脱自在に戴置される部材であり、利用者は、本体部材３を任意に組み合わせることができる。よって、本体部材３の形状は、枠体部材２の収容部に収容可能なものであればどのようなものとしてもよい。
【００１２】
また、収容部内における移動によるずれを抑止するため、例えばスナップ等の留め具や、面状ファスナー（ループ（ループ状に密集して起毛された側）、又はフック（フック状に起毛された側））等の固定部材を枠体部材２と本体部材３の対応する位置に設け、収容部内で本体部材３を固定できるようにしてもよい。なお、面状ファスナーとしては、例えばマジックテープ（登録商標）として知られているものを用いることができる。
【００１３】
さらに、本体部材３を複数組み合わせて収容部に配置する際にも、本体部材３の対応する位置に上述したような固定部材を配置することで、本体部材３どうしのずれを防止することができる。
【００１４】
本体部材３の素材にも、様々なものが利用できる。例えば、綿、羽、毛、籾殻や蕎麦殻等の殻、竹、檜等の木材又はその炭、ウレタンやラテックス等の樹脂、ポリエチレンやポリスチレン、ポリプロピレン等の樹脂、もしくは樹脂からなるパイプ又はビーズ等が挙げられる。もちろん、本体部材３は、任意の素材のみ一体に形成されたものでもよいし、袋体の内部にこれらの素材が充填されているような構成であってもよい。
【００１５】
以下に、このような本体部材３の例として、本体部材３ａ〜３ｅについて説明する。
【００１６】
まず、本体部材３ａについて説明する。図１及び２に示す本体部材３ａは、収容部の底面と長辺ａ及び奥行きｃの長さが略同じの、略長方体の部材である。本図では、このような本体部材３ａを上下方向に２つ重ねて枠体部材２の収容部に嵌め込むことで使用する例を挙げている。図中では、本体部材３ａの厚みは収容部の高さの半分未満であり、利用者が頭部を乗せる部分（底面２２と２つの本体部材３ａを積み重ねた部分）の高さは、枠体部材２の短辺ｂの長さよりも低い。
【００１７】
しかしながら、本体部材３ａの高さはこれに限定されず、利用者は、上記とは高さの異なる本体部材３ａを利用することで、枕１を任意の高さに調節することができる。例えば、本体部材３ａの高さが収容部の高さを同じであれば、枠体部材２と本体部材３ａを１つ組み合わせて、全体が略長方体の形状の枕１を作ることができる。また、本体部材３ａをより薄くすれば、本体部材３ａを３枚以上重ねて高さを微調整することもできる。
【００１８】
また、素材の異なる本体部材３ａを組み合わせることで、さらに多様な枕が提供される。例えば、下側に敷く本体部材３ａを蕎麦殻素材である程度の硬さと高さを確保しながら、上側に重ねる本体部材３ａを羽素材として馴染みのよさと通気性をも兼ね備えた枕を作ることができる。
【００１９】
次に、本体部材３ｂについて説明する。図３（ａ）は、本考案の第一実施形態の一例に係る枕の本体部材の斜視図である。図３（ｂ）は、本考案の第一実施形態の一例に係る枕の本体部材の構造を説明する分解図である。
【００２０】
図３（ａ）及び（ｂ）に示す本体部材３ｂは、本体部材３ａと略同形状の部材であるが、中心部に長方体の貫通穴３１を有している点で異なる。すなわち、本体部材３ｂは、本体部材３ａの外周を残した上下が開放されたフレーム状の部材である。
【００２１】
このような本体部材３ｂを収容部の一番上に用いることで、利用者は下や横を向いて寝ても鼻孔や口が塞がらず、楽に呼吸することができる。また例えば、本体部材３ｂの上にさらに本体部材３ａを重ねることで、後頭部の形状に沿って本体部材３ａが撓み、首に負担をかけない体勢を作ることができる。なお、貫通穴３１の形状や位置は上記に限定されず、例えば、円形状の穴が、本体部材３ｂの上下左右の何れかに偏った位置に形成されていてもよい。
【００２２】
さらに、本体部材３ｂに貫通穴３１と同形状の芯部材３２を貫通穴３１に嵌め込むことで、一部にのみ異なる素材を用いることができる。例えば、冷却作用のある芯部材３２を使用すれば、夏場や発熱時に頭部を冷やすことができる。なお、この場合の芯部材３２は、冷却材そのものでもよいし、冷却材を埋め込んで使用するクッション材でもよい。
【００２３】
次に、本体部材３ｃについて説明する。図４（ａ）は、本考案の第一実施形態の一例に係る枕の本体部材の斜視図である。
【００２４】
図４に示す本体部材３ｃは、フレーム状の枠３３と、枠３３の向かい合う左右の側面を長辺ａと略平行に結ぶ複数の紐３４と、を備えている。なお、紐３４の素材としては、例えばナイロン、麻、綿等を使用することができる。また、その太さや間隔、本数は特に制限されない。
【００２５】
枠３３は、利用者が頭を載せて紐３４に応力が加わる際に適度にしなって頭部を支え、かつ、頸部を圧迫しない程度の柔軟性を有するものが望ましい。従って、枠３３の頸部を載せる１つの長辺ａのみに柔軟性の高い素材を使用し、残りには剛性のある素材を使用する構成としてもよい。また、図４（ｂ）に示すように、コの字形状の枠３５を使用することもできる。
【００２６】
次に、本体部材３ｄについて説明する。図５（ａ）は、本考案の第一実施形態の一例に係る枕の本体部材の斜視図である。図５（ｂ）は、本考案の第一実施形態の一例に係る枕の斜視図である。
【００２７】
本体部材３ｄは、短手方向の断面が略半楕円径の山形形状を有する部材であり、その奥行きが枠体部材２の奥行きよりも短く形成されている。このような本体部材３ｄは、図５（ｂ）に示すように、収容部の任意の位置に戴置して用いることができる。これによれば、頭部の一部のみを本体部材３ｄが支えるため、利用者は、結われた髪などを崩さずに枕を使用することができる。もちろん、髪型によって高さの異なる本体部材３ｄを用いてもよい。
【００２８】
次に、本体部材３ｅについて説明する。図６は、本考案の第一実施形態の一例に係る枕の本体部材の斜視図である。
【００２９】
本体部材３ｅは、手前がなだらかに盛り上がり、表面に利用者の頸部と頭部に沿った凹凸形状が形成されている。このような本体部材３ｅを使用すれば、利用者が仰向けに寝た場合に頸椎が自然な状態に保たれ、負荷がかかりにくい体勢を作ることができる。
【００３０】
以上、本考案の第一実施形態の一例について説明した。なお、上記実施形態では本体部材３ａ〜３ｅを別々に説明したが、自由に組み合わせることも可能である。例えば、本体部材３ａの上に本体部材３ｄを重ねたり、冷却材を芯材３２として用いた本体部材３ｂの上に本体部材３ａを重ねたりしてもよい。
【００３１】
このように本考案によれば、利用者は、季節や体調、気分等によって枕の形状や素材の組み合わせを自由に選択し、多様な組み合わせの中からオーダーメイドに近い感覚で最適な枕を組み立てることができる。また、本体部材に汚れや破損が生じた場合でも、該本体部材のみを取り換えることもでき、経済的である。
【００３２】
なお、上記の本考案の実施形態は、本考案の要旨と範囲を例示することを意図し、限定するものではない。多くの代替物、修正および変形例が当業者にとって明らかである。
【００３３】
例えば、枠体部材２の形状は、本体部材３を収容可能であればコの字形状のものに限らない。図７は、本考案の変形例に係る枕の枠体部材を説明する斜視図である。図７に示すように、左右の側面２１に加え、一方の長辺ａにも側面を設けた形状としてもよい。これによれば、本体部材３の奥行き方向へのずれを抑止できる。
【００３４】
また例えば、本体部材３の組み合わせ方法は、積み重ね以外であってもよい。図８は、本考案の変形例に係る枕の構造を説明する斜視図である。図８に示すように、厚さだけでなく、奥行き方向の長さが収容部よりも短い複数の本体部材３ｆ〜３ｈを、縦に積み重ねあるいは横に並べて組み合わせることで、頸部と頭部においても、異なる素材が接するようにしたり、違う高さとしたりすることができる。
【００３５】
このように、収容部に本体部材３をおさまりよく戴置ために、本体部材３は、枠体部材２の収容部に長辺、短辺、奥行きの、いずれかの長さが合致しているか、または、組み合わせた際に合致するようになっていることが望ましい。
【００３６】
なお、上記の各図は、本考案の特徴を説明するにあたって、枕の主要構成を示したものであり、一般的な枕に必要な構成を排除するものでもない。
【符号の説明】
【００３７】
１：枕、２・２ａ：枠体部材、３・３ａ〜３ｈ：本体部材、２１：側面、２２：底面、３１：貫通穴、３２：芯部材、３３・３５：枠、３４：紐。
【図１】
0003167162.tif 000003
【図２】
0003167162.tif 000004
【図３】
0003167162.tif 000005
【図４】
0003167162.tif 000006
【図５】
0003167162.tif 000007
【図６】
0003167162.tif 000008
【図７】
0003167162.tif 000009
【図８】
0003167162.tif 000010